(57)【要約】【課題】整定試験に際しての安全性を確保するとともに、整定試験にかかる作業者の負担軽減および作業効率の向上を図ること。【解決手段】試験対象とする電圧継電器に応じた形状に配置された所定数のプラグ孔１２２ｂを備えたソケット１２２に、電圧継電器の整定試験電圧の入力を受け付ける一対のプラグ孔１２２ｂに接続された一対の第２の接続端子１２６を接続し、当該一対の第２の接続端子１２６を、可変変圧器１１１の出力端子１１１ｂに一端が接続されてクリップ形状をなす第１の接続端子１１６によって把持することにより、試験対象とする電圧継電器と可変変圧器１１１とを容易に接続できるようにした。第２の接続端子１２６は、把持部２２０を把持した状態における第１の接続端子１１６どうしが離間する間隔を空けて配置されている。【選択図】図１
2020143971.tif 000002
【特許請求の範囲】
【請求項１】
供給された電力の電圧値を所定の電圧値に変圧した電力を出力端子から出力する可変変圧器と、
前記可変変圧器の出力端子に一端が接続され、開閉自在な開口を形成する一対のピンチ部材を備えクリップ形状をなす第１の接続端子が他端に設けられた接続切替電線と、
試験対象とする電圧継電器が備えるプラグピンの配置形状に応じた形状に配置された所定数のプラグ孔を備えたソケットと、
前記ソケットが備えるプラグ孔のうち前記電圧継電器の整定試験電圧の入力を受け付ける一対のプラグ孔に接続され、それぞれが前記第１の接続端子の開口幅よりも外径寸法が小さい把持部を有する一対の第２の接続端子を備えた端子台と、
を備え、
前記一対の第２の接続端子は、前記第１の接続端子によって前記把持部が把持されることにより前記接続切替電線を介して前記可変変圧器と分離可能に接続され、前記把持部を把持した状態における前記第１の接続端子どうしが離間する間隔を空けて配置されていることを特徴とする整定試験装置。
【請求項２】
前記一対の第２の接続端子は、それぞれ、前記把持部を一体に備え、定位置に固定されていることを特徴とする請求項１に記載の整定試験装置。
【請求項３】
前記一対の第２の接続端子は、それぞれ、長さ方向における一端が前記プラグ孔に接続され他端に前記把持部が設けられたロッド形状をなすことを特徴とする請求項２に記載の整定試験装置。
【請求項４】
前記一対の第２の接続端子は、長さ方向が、互いに平行な方向に沿って配置されていることを特徴とする請求項３に記載の整定試験装置。
【請求項５】
前記一対の第２の接続端子は、長さ方向が、前記プラグ孔との接続位置よりも離間するほど前記把持部どうしが離間する方向に沿って配置されていることを特徴とする請求項３に記載の整定試験装置。
【請求項６】
前記プラグ孔の配置形状が異なる複数の前記ソケットを備えたことを特徴とする請求項１〜５のいずれか一つに記載の整定試験装置。
【請求項７】
前記プラグ孔の数が異なる複数の前記ソケットを備えたことを特徴とする請求項１〜６のいずれか一つに記載の整定試験装置。
【請求項８】
前記把持部は、外表面に凹凸を備えたことを特徴とする請求項１〜７のいずれか一つに記載の整定試験装置。
【請求項９】
前記第１の接続端子は、前記一対のピンチ部材における前記開口または当該開口の周縁に凹凸を備えたことを特徴とする請求項１〜８のいずれか一つに記載の整定試験装置。
【請求項１０】
前記端子台は、少なくとも隣り合う前記第２の接続端子どうしの間に設けられた隔離壁を備えたことを特徴とする請求項１〜９のいずれか一つに記載の整定試験装置。
【発明の詳細な説明】
【技術分野】
【０００１】
この発明は、電圧継電器の整定試験に用いる整定試験装置に関する。
【背景技術】
【０００２】
発変電所においては、送電線路に設置した充電判定継電器を用いて、系統側の事故や停電を検出することによって送電線路の健全性を監視している。充電判定継電器は、過電圧や不足電圧を検出し、系統側の事故や停電を検出した場合に発電機回路を切り離したり、構内事故を検出して構内事故を検出した場合に受電端ＣＢ（Ｃｉｒｃｕｉｔ  Ｂｒｅａｋｅｒ）を動作させたりする。
【０００３】
このような充電判定継電器は、経年劣化によって不良となると、都度、取り替えを実施する。具体的には、点検に際して充電判定継電器の不具合を発見した際に、たとえば、専門の業者などによる整定試験・点検をおこない、不具合が発見された充電判定継電器をあらたな充電判定継電器に取り替える。従来、故障した充電判定継電器と取り替えるあらたな充電判定継電器は、整定試験の環境が整った専門の試験設備において、設置箇所に応じた整定試験を事前におこなったものを用いていた。
【０００４】
充電判定継電器において、充電判定をともなわずに警報を表示するなどの故障が発生した場合、故障した充電判定継電器をあらたな充電判定継電器に取り替える緊急対応をおこなう。あらたな充電判定継電器は、故障した充電判定継電器に代えて、当該故障した充電判定継電器が取り付けられていたソケットに取り付ける。
【０００５】
故障した充電判定継電器は一刻も早くあらたな充電判定継電器に取り替える必要がある一方で、整定試験がおこなわれていない充電判定継電器では所望の動作をさせることができないため、従来、緊急対応に際しては、監視対象とする電気回路に接続されているソケットに取り付けた状態のあらたな充電判定継電器のプラグピンにクリップを接続して整定試験をおこない、あらたな充電判定継電器に所望の動作をさせるための整定をおこなっていた。
【０００６】
関連する技術として、具体的には、従来、たとえば、ディジタル保護継電器と通信ポートを介して直接接続または遠隔接続され、ディジタル保護継電器の計測状態を監視する監視装置に整定値を保存し、保存された整定データを用いてディジタル保護継電器の整定をおこなうようにした整定監視装置に関する技術があった（たとえば、下記特許文献１を参照。）。
【先行技術文献】
【特許文献】
【０００７】
【特許文献１】特開２００４−７２８４０号公報
【発明の概要】
【発明が解決しようとする課題】
【０００８】
しかしながら、上述したように、緊急対応に際して、監視対象とする電気回路に接続されているソケットに取り付けた状態のあらたな充電判定継電器のプラグピンにクリップを接続して整定をおこなう従来の技術は、プラグピンどうしが接近している箇所にクリップを接続するため、回路の短絡や地絡を起こす可能性が高く安全性に劣るという問題があった。
【０００９】
また、監視対象とする電気回路に接続されているソケットに取り付けた状態のあらたな充電判定継電器の整定試験をおこなう従来の技術は、早期にあらたな充電判定継電器に取り替えることができるが、プラグピンどうしが接近していることに起因する回路の短絡や地絡を回避するために整定試験を慎重におこなわざるを得ず、作業性に劣るという問題があった。
【００１０】
プラグピンどうしが接近していることに起因する回路の短絡や地絡を回避するために、あらたな充電判定継電器に取り替える前に、整定試験の環境が整った専門の試験設備において整定試験をおこなうことは、あらたな充電判定継電器に取り替えるまでに時間がかかってしまうため現実的ではない。
【００１１】
また、上述した特許文献１に記載された従来の技術は、継電器と接続された監視装置が必要であり、監視装置と接続されていない既設の継電器に適用することができないという問題があった。
【００１２】
この発明は、上述した従来技術による問題点を解消するため、整定試験に際しての安全性を確保するとともに、整定試験にかかる作業者の負担軽減および作業効率の向上を図ることができる整定試験装置を提供することを目的とする。
【課題を解決するための手段】
【００１３】
上述した課題を解決し、目的を達成するため、この発明にかかる整定試験装置は、供給された電力の電圧値を所定の電圧値に変圧した電力を出力端子から出力する可変変圧器と、前記可変変圧器の出力端子に一端が接続され、開閉自在な開口を形成する一対のピンチ部材を備えクリップ形状をなす第１の接続端子が他端に設けられた接続切替電線と、試験対象とする電圧継電器が備えるプラグピンの配置形状に応じた形状に配置された所定数のプラグ孔を備えたソケットと、前記ソケットが備えるプラグ孔のうち前記電圧継電器の整定試験電圧の入力を受け付ける一対のプラグ孔に接続され、それぞれが前記第１の接続端子の開口幅よりも外径寸法が小さい把持部を有する一対の第２の接続端子を備えた端子台と、を備え、前記一対の第２の接続端子は、前記第１の接続端子によって前記把持部が把持されることにより前記接続切替電線を介して前記可変変圧器と分離可能に接続され、前記把持部を把持した状態における前記第１の接続端子どうしが離間する間隔を空けて配置されていることを特徴とする。
【００１４】
また、この発明にかかる整定試験装置は、上記の発明において、前記一対の第２の接続端子が、それぞれ、前記把持部を一体に備え、定位置に固定されていることを特徴とする。
【００１５】
また、この発明にかかる整定試験装置は、上記の発明において、前記一対の第２の接続端子が、それぞれ、長さ方向における一端が前記プラグ孔に接続され他端に前記把持部が設けられたロッド形状をなすことを特徴とする。
【００１６】
また、この発明にかかる整定試験装置は、上記の発明において、前記一対の第２の接続端子が、長さ方向が、互いに平行な方向に沿って配置されていることを特徴とする。
【００１７】
また、この発明にかかる整定試験装置は、上記の発明において、前記一対の第２の接続端子が、長さ方向が、前記プラグ孔との接続位置よりも離間するほど前記把持部どうしが離間する方向に沿って配置されていることを特徴とする。
【００１８】
また、この発明にかかる整定試験装置は、上記の発明において、前記プラグ孔の配置形状が異なる複数の前記ソケットを備えたことを特徴とする。
【００１９】
また、この発明にかかる整定試験装置は、上記の発明において、前記プラグ孔の数が異なる複数の前記ソケットを備えたことを特徴とする。
【００２０】
また、この発明にかかる整定試験装置は、上記の発明において、前記把持部が、外表面に凹凸を備えたことを特徴とする。
【００２１】
また、この発明にかかる整定試験装置は、上記の発明において、前記第１の接続端子が、前記一対のピンチ部材における前記開口または当該開口の周縁に凹凸を備えたことを特徴とする。
【００２２】
また、この発明にかかる整定試験装置は、上記の発明において、前記端子台が、少なくとも隣り合う前記第２の接続端子どうしの間に設けられた隔離壁を備えたことを特徴とする。
【発明の効果】
【００２３】
この発明にかかる整定試験装置によれば、整定試験に際しての安全性を確保するとともに、整定試験にかかる作業者の負担軽減および作業効率の向上を図ることができるという効果を奏する。
【図面の簡単な説明】
【００２４】
【図１】この発明にかかる実施の形態の整定試験装置の外観を示す説明図である。
【図２】第２の接続端子の構成を示す説明図である。
【図３】第１の接続端子の開口幅を示す説明図（その１）である。
【図４】第１の接続端子の開口幅を示す説明図（その２）である。
【図５】第２の接続端子の別の構成を示す説明図（その１）である。
【図６】第２の接続端子の別の構成を示す説明図（その２）である。
【図７】第２の接続端子の別の構成を示す説明図（その３）である。
【発明を実施するための形態】
【００２５】
以下に添付図面を参照して、この発明にかかる整定試験装置の好適な実施の形態を詳細に説明する。
【００２６】
（整定試験装置の構成）
まず、この発明にかかる実施の形態の整定試験装置の構成について説明する。図１は、この発明にかかる実施の形態の整定試験装置の外観を示す説明図である。図１において、この発明にかかる実施の形態の整定試験装置１００は、電圧調整部１１０と、接続部１２０と、を備えている。
【００２７】
電圧調整部１１０は、可変変圧器１１１と、第１の端子台１１２と、を備えている。可変変圧器１１１および第１の端子台１１２は、平板形状をなす第１の支持部材１１３に固定されている。第１の支持部材１１３は、木材、プラスチックなどと称される合成高分子など、絶縁性を呈する材料を用いて形成されていることが好ましい。
【００２８】
可変変圧器１１１は、入力端子１１１ａと出力端子１１１ｂとを備え、入力端子１１１ａを介して供給された電力の電圧値を所定の電圧値に変圧し、所定の電圧値に変圧した電力を出力端子１１１ｂから出力する。入力端子１１１ａおよび出力端子１１１ｂは、略円柱形状をなす筐体１１１ｃの外周面に設けられている。入力端子１１１ａおよび出力端子１１１ｂは、たとえば、絶縁材料によって形成されたツマミ１１１ｄを備えた押し締め端子によって実現することができる。
【００２９】
また、可変変圧器１１１は、鉄心と、鉄心に巻回された一次コイルおよび二次コイルと、可動式摺動子と、を備えている（いずれも図示を省略する）。可動式摺動子は、鉄心の中心軸周りに回転可能に設けられている。可動式摺動子が鉄心の中心軸周りに回転すると、二次側の出力電圧が連続的に変化する。これにより、可変変圧器１１１は、入力端子１１１ａを介して一次コイルに入力された交流電力の電圧の高さを、電磁誘導を利用して変換し、変換した電圧を出力端子１１１ｂを介して出力することができる。
【００３０】
可動式摺動子は、鉄心の中心軸周りに回転可能な調整用ツマミ１１１ｅに連結されており、調整用ツマミ１１１ｅの回転にともなって回転する。調整用ツマミ１１１ｅは、絶縁材料によって形成され、筐体１１１ｃの天面に設けられている。調整用ツマミ１１１ｅは、外周方向に突出する突起１１１ｆを備えており、突起１１１ｆの方向によって調整用ツマミ１１１ｅの回転位置を案内する。
【００３１】
筐体１１１ｃの天面には、出力電圧値を示す指標１１１ｇが設けられている。指標１１１ｇは、調整用ツマミ１１１ｅの回転にともなって移動する突起１１１ｆの移動軌跡がなす円に沿って設けられている。可変変圧器１１１は、調整用ツマミ１１１ｅの突起１１１ｆが指し示す指標１１１ｇが示す出力電圧値の電圧を出力する。
【００３２】
可変変圧器１１１は、具体的には、たとえば、スライダック（登録商標）、ボルトスライダー（登録商標）などと称される摺動変圧器（スライドトランス）によって実現することができる。
【００３３】
第１の端子台１１２は、複数の端子１１２ａを備えている。第１の端子台１１２における複数の端子１１２ａは、それぞれ、２つずつ対をなし、対をなす端子１１２ａどうしは導通されている。第１の端子台１１２が備える複数の端子１１２ａのうち、互いに導通されていない端子１１２ａのうちの２つは、入力端子１１１ａに接続されている。また、第１の端子台１１２が備える複数の端子１１２ａのうち、入力端子１１１ａに接続される端子１１２ａとは別の端子１１２ａであって互いに導通されていない端子１１２ａのうちの２つは、出力端子１１１ｂに接続されている。
【００３４】
入力端子１１１ａが接続されている２つの端子１１２ａのそれぞれと対をなす２つの端子１１２ａには、給電用の電線１１４の一端が接続されている。給電用の電線１１４の他端には、たとえば、任意の電源に接続する接続端子１１４ａを設けることができる。たとえば、それぞれをコンセントプラグの刃に接続することができる。これにより、可変変圧器１１１を汎用的なコンセントソケットに接続して使用することができる。
【００３５】
入力端子１１１ａが接続されている２つの端子１１２ａのそれぞれと対をなす２つの端子１１２ａには、接続切替電線１１５の一端が接続されている。接続切替電線１１５は、導電性の線状体と、当該線状体を被覆する電気絶縁体と、を備えている。接続切替電線１１５の他端には、第１の接続端子１１６が設けられている。第１の接続端子１１６は、クリップ形状をなす。
【００３６】
具体的に、第１の接続端子１１６は、一対のピンチ部材（図３および図４における符号３０１を参照）と、付勢部材と、を備えている。一対のピンチ部材は、金属材料のように、導電性を呈する材料を用いて形成されている。一対のピンチ部材は、それぞれ、長さ方向における中間部分において相対的に揺動可能に連結されている。一対のピンチ部材は、連結位置を支点として相対的に揺動することにより、長さ方向における一端側を当接させたり離間させたりする動作、すなわち、開閉動作をおこなう。
【００３７】
付勢部材は、一対のピンチ部材の長さ方向における一端側が互いに当接するように、当該一対のピンチ部材を付勢する。付勢部材は、たとえば、連結位置よりも一対のピンチ部材の他端側に設けられて、一対のピンチ部材の長さ方向における他端側を互いに離間する方向に付勢する圧縮スプリングによって実現することができる。
【００３８】
あるいは、付勢部材は、たとえば、連結位置よりも一対のピンチ部材の一端側に設けられて、一対のピンチ部材の長さ方向における一端側を互いに引き寄せる方向に付勢する引っ張りスプリングによって実現してもよい。また、あるいは、付勢部材は、たとえば、圧縮方向に外力が加えられた場合に、元の形状に復帰しようとする弾性力を発揮する、ウレタンゴムなどによって実現してもよい。
【００３９】
一対のピンチ部材は、付勢部材の付勢力に抗して連結位置を支点として相対的に揺動し、一対のピンチ部材の長さ方向における一端側を離間させることによって、当該一端側どうしの間に隙間（開口）を形成する。一対のピンチ部材は、長さ方向における一端側すなわち開口の部分に、凹凸を備えている。
【００４０】
第１の接続端子１１６の凹凸は、たとえば、一対のピンチ部材の長さ方向における一端側における周縁、すなわち、開口の周縁に設けることができる。第１の接続端子１１６の凹凸は、たとえば、一対のピンチ部材の長さ方向における一端側における周縁を波形形状に成形することによって実現することができる。このような第１の接続端子１１６は、たとえば、ワニ口クリップによって実現することができる。
【００４１】
第１の接続端子１１６は、一端側の一部以外の部分が、ビニルなどの絶縁材料によって被覆されている。これにより、可変変圧器１１１を電源に接続している状態で第１の接続端子１１６を操作する場合にも、作業者の安全を確保することができる。
【００４２】
接続部１２０は、コンセントソケット１２１と、ソケット１２２と、第２の端子台１２３と、を備えている。コンセントソケット１２１、ソケット１２２および第２の端子台１２３は、平板形状をなす第２の支持部材１２４に固定されている。
【００４３】
第２の支持部材１２４は、第１の支持部材１１３と同様に、木材、プラスチックなどと称される合成高分子など、絶縁性を呈する材料を用いて形成されていることが好ましい。第２の支持部材１２４には、接続部１２０の可搬性を高めるための持ち手１２４ａが設けられていてもよい。
【００４４】
コンセントソケット１２１は、天面に、給電用の電線１１４に接続されたコンセントプラグなどのコンセントプラグの挿入が可能な一対のプラグ用のスリット１２１ａを備えている。プラグ用のスリット１２１ａには、挿入されたコンセントプラグと電気的に接続される一対の端子を備えている（図示を省略する）。一対の端子には、それぞれ、電線の一端が接続されている。電線の他端は、任意の電源に接続することができる。
【００４５】
ソケット１２２は、絶縁性を呈するケース１２２ａや、ケース１２２ａの内部に組み込まれた半導体素子や制御回路など（図示を省略する）を備えている。ケース１２２ａは、たとえば、プラスチックなどと称される合成樹脂によって形成することができる。ケース１２２ａの内部は、樹脂が封入（充填）されていてもよく、中空であってもよい。
【００４６】
ソケット１２２のケース１２２ａには、試験対象とする電圧継電器が備えるプラグピンの配置形状に応じた形状に配置された所定数のプラグ孔１２２ｂが設けられている。また、ソケット１２２のケース１２２ａには、試験対象とする電圧継電器が備えるセンターコラムが嵌合するガイド穴１２２ｃが設けられている。
【００４７】
試験対象とする電圧継電器は、公知の各種の電圧継電器によって実現することができる。電圧継電器は、発電機の故障に起因する電圧の上昇や、停電または短絡に起因する電圧の低下などの電圧変動に応じて、入力された電圧があらかじめ設定された異常電圧などの設定値に達した場合に、電圧継電器が接続されている電気回路を開閉するように動作する。
【００４８】
この実施の形態にかかる整定試験装置が試験対象とする電圧継電器は、具体的には、たとえば、機器の絶縁保護監視を目的とする過電圧継電器（ＯＶＲ：Ｏｖｅｒ  Ｖｏｌｔａｇｅ  Ｒｅｌａｙ）によって実現することができる。あるいは、具体的に、整定試験の対象とする電圧継電器は、たとえば、故障の検出を目的とする不足電圧継電器などによって実現されるものであってもよい。
【００４９】
電圧継電器は、たとえば、型番／種類ごとに、８本、１５本など、複数本のプラグピンを備えている。複数のプラグピンは、たとえば、同一円周上や同心円上に環状に配列されている。電圧計電気において、環状に配列された複数のプラグピンがなす環の中心には、電圧継電器をソケット１２２に取り付ける際のガイド機能を実現するセンターコラムが設けられていてもよい。
【００５０】
整定試験装置１００は、プラグ孔１２２ｂの配置形状が異なる複数のソケット１２２を備えている。たとえば、環状に配列された複数のプラグピンを備えた電圧継電器と、矩形状に配列された複数のプラグピンを備えた電圧継電器と、を試験対象とする整定試験装置１００の場合、複数のプラグピンの配列形状にあわせて、環状に配列されたプラグ孔１２２ｂを備えたソケット１２２と、矩形状に配列されたプラグ孔１２２ｂを備えたソケット１２２と、を備える。
【００５１】
また、整定試験装置１００は、プラグ孔１２２ｂの数が異なる複数のソケット１２２を備えている。たとえば、８本のプラグピンを備えた電圧継電器と、１５本のプラグピンを備えた電圧継電器と、を試験対象とする整定試験装置１００の場合、プラグピンの配列形状にあわせて、８個のプラグ孔１２２ｂを備えたソケット１２２と、１５個のプラグ孔１２２ｂを備えたソケット１２２と、を備える。
【００５２】
ソケット１２２は、第２の支持部材１２４に固定されたＤＩＮ（Ｄｅｕｔｓｃｈｅｓ  Ｉｎｓｔｉｔｕｔ  ｆuｒ  Ｎｏｒｍｕｎｇ）レール（ＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ）レール）１２５を介して、第２の支持部材１２４に取り付けられている。具体的には、たとえば、幅３５ｍｍのＤＩＮレール１２５を用いることができる。
【００５３】
ＤＩＮレール１２５は、ドイツ工業規格にしたがった汎用的な金属製のレールであって、ＤＩＮ規格にしたがった機器をワンタッチで取り付けることができる。ソケット１２２のケース１２２ａには、ＤＩＮレール１２５と係合する一対の取付部が設けられている。一対の取付部は、それぞれ、出没自在なピンや当該ピンを突出する方向に付勢する付勢部材などを備えている。このような取付部は、公知の技術を用いて容易に実現可能であるため、説明を省略する。
【００５４】
ＤＩＮレール１２５を用いることにより、ソケット１２２が備える一対の取付部のうちの一方をＤＩＮレール１２５に嵌め込み、当該一方の取付部をＤＩＮレール１２５に押さえ付けながら他方の取付部の前部をＤＩＮレール１２５に押し込んで嵌め込むだけで、ＤＩＮレール１２５に対してソケット１２２を取り付けることができる。
【００５５】
また、ＤＩＮレール１２５を用いることにより、ＤＩＮレール１２５に取り付けられているソケット１２２を一方の取付部から他方の取付部にスライドするように押し付け、この状態で他方の取付部をＤＩＮレール１２５から離れるように持ち上げるだけで、ＤＩＮレール１２５からソケット１２２を取り外すことができる。これにより、整定試験装置１００におけるソケット１２２の追加や交換などを容易におこなうことができ、整定試験装置１００のメンテナンスにかかる作業者の負担軽減および作業効率の向上を図ることができる。
【００５６】
第２の端子台１２３は、複数の端子１２３ａを備えている。第２の端子台１２３は、ソケット１２２と同様に、第２の支持部材１２４にＤＩＮレールを固定し、当該ＤＩＮレールを介して第２の支持部材１２４に取り付けられていてもよい。第２の端子台１２３において、第２の接続端子１２６は、第２の接続端子１２６どうしの間に設けられて、第２の接続端子１２６どうしを隔離する隔離壁１２３ｂを備えている。この実施の形態においては、第２の端子台１２３によって、この発明にかかる端子台を実現することができる。
【００５７】
第２の端子台１２３における複数の端子１２３ａは、それぞれ、２つずつ対をなし、対をなす端子１２３ａどうしは導通されている。第２の端子台１２３において対をなす端子１２３ａどうしのうち、ソケット１２２に面している側に配置された端子１２３ａは、ソケット１２２が備えるプラグ孔１２２ｂのうち、電圧継電器の整定試験電圧の入力を受け付けるプラグ孔１２２ｂに接続されている。
【００５８】
電圧継電器の整定試験電圧の入力を受け付けるプラグ孔１２２ｂは、ソケット１２２ごとに２つずつ設けられているため、第２の端子台１２３においては、電圧継電器の整定試験電圧の入力を受け付ける２つのプラグ孔１２２ｂに接続される端子１２３ａが、ソケット１２２ごとに２つずつ確保されている。第２の端子台１２３には、いずれのソケット１２２に接続される端子１２３ａであるかを示すマーキングが設けられていてもよい。
【００５９】
第２の端子台１２３には、第２の接続端子１２６が連結されている。第２の接続端子１２６は、第２の端子台１２３において、ソケット１２２に面している側とは反対側に配置された端子１２３ａのうち、電圧継電器の整定試験電圧の入力を受け付ける２つのプラグ孔１２２ｂに接続される端子１２３ａと対をなす端子１２３ａに、連結されている。
【００６０】
この実施の形態においては、同一のソケット１２２において電圧継電器の整定試験電圧の入力を受け付ける２つのプラグ孔１２２ｂに接続される２つの端子１２３ａとそれぞれ対をなす２つの第２の接続端子１２６によって、この発明にかかる一対の第２の接続端子を実現することができる。
【００６１】
（第２の接続端子１２６の構成）
つぎに、第２の接続端子１２６の構成について説明する。図２は、第２の接続端子１２６の構成を示す説明図である。図２においては、第２の端子台１２３の一部を示している。図２において、第２の接続端子１２６は、連結部２１０と、把持部２２０と、を備えている。
【００６２】
第２の接続端子１２６は、金属などの導電性を呈する材料を用いて形成されている。連結部２１０と把持部２２０とは、電気的に接続されており、一体に形成されている。連結部２１０と把持部２２０とは、電気的に接続されていれば、それぞれ別体で形成し、ハンダや溶接などによって接合されていてもよい。
【００６３】
連結部２１０は、リング形状あるいは略「Ｕ」字形状をなす。連結部２１０の内径は、第２の端子台１２３における端子を構成するネジにおける軸の外径寸法と同等以上とされている。これにより、第２の端子台１２３における端子を構成するネジの軸に連結部２１０を係合させた状態で当該ネジを締めることにより、ネジの頭部によって連結部２１０を端子に固定することができる。
【００６４】
第２の接続端子１２６のうち、電圧継電器の整定試験電圧の入力を受け付ける一対のプラグ孔１２２ｂに接続されている第２の接続端子１２６（一対の第２の接続端子１２６）は、それぞれ、軸心方向における一端において当該一対のプラグ孔１２２ｂに接続されている。把持部２２０は、一対の第２の接続端子１２６の他端、すなわち、一対の第２の接続端子１２６の長さ方向におけるプラグ孔１２２ｂとの接続位置とは反対側の端部に設けられている。
【００６５】
把持部２２０は、ロッド形状をなす。具体的に、把持部２２０は、中空の円筒形状（管形状）をなす。この実施の形態における第２の接続端子１２６は、少なくとも軸心方向における一端（先端）が開放された円筒形状をなす。第２の接続端子１２６は、把持部２２０がなす円筒形状の軸心方向が、第２の端子台１２３においてソケット１２２に面している側とは反対側の端面から、ソケット１２２から離間する方向に向かって延出するように設けられている。
【００６６】
一対の第２の接続端子１２６は、把持部２２０を把持した状態における第１の接続端子１１６どうしが離間する間隔を空けて配置されている。具体的には、一対の第２の接続端子１２６は、たとえば、把持部２２０の内径寸法を第１の接続端子１１６の一端の幅寸法よりも大きくするとともに、把持部２２０の外周面どうしを離間させた状態で配置されている。これにより、電気継電器の整定試験に際して、第１の接続端子１１６どうしが接触して短絡することを確実に防止することができる。
【００６７】
（第１の接続端子１１６の開口幅）
つぎに、第１の接続端子１１６の開口幅について説明する。図３および図４は、第１の接続端子１１６の開口幅を示す説明図である。図３に示すように、第１の接続端子１１６は、一対のピンチ部材の長さ方向における一端どうしの間に、第２の接続端子１２６における把持部２２０を挟み込むことによって、第２の接続端子１２６に接続される。第１の接続端子１１６と第２の接続端子１２６とを接続することにより、電圧調整部１１０と接続部１２０とを電気的に接続することができる。
【００６８】
第１の接続端子１１６は、開口した状態における一対のピンチ部材の長さ方向における一端の間隔の寸法、すなわち、第１の接続端子１１６の開口幅が、第２の接続端子１２６の把持部２２０をなす円筒形状の周壁の厚さ寸法（図３における符号３００を参照）よりも大きくなる位置まで開口することができる。第１の接続端子１１６の開口幅（図４における符号４００を参照）は、第２の接続端子１２６の把持部２２０をなす円筒形状の外径寸法よりも大きいものであってもよい。
【００６９】
一対の第２の接続端子１２６は、長さ方向が、互いに平行な方向に沿って配置されている。これにより、把持部２２０の突出方向は、互いに平行になるように設けられている。具体的に、一対の第２の接続端子１２６は、たとえば、ロッド形状をなす一対の第２の接続端子１２６のそれぞれの軸心が平行になるように設けられている。
【００７０】
一対の第２の接続端子１２６は、把持部２２０どうしの間隔が、第１の接続端子１１６の幅寸法よりも大きくなる状態で設けられていることが好ましい。この実施の形態において、第１の接続端子１１６の幅寸法は、一対のピンチ部材の回動軸心方向と平行な方向における寸法によって示される。把持部２２０どうしの間隔を、第１の接続端子１１６の幅寸法よりも大きくすることにより、第２の接続端子１２６どうしが接触することによる回路の短絡や地絡を確実に防止することができる。
【００７１】
（整定試験の作業手順）
つぎに、この発明にかかる実施の形態の整定試験装置１００を用いた整定試験の作業手順について説明する。この発明にかかる実施の形態の整定試験装置１００を用いた整定試験に際しては、まず、電圧調整部１１０の入力端子１１１ａを電源に接続する。具体的には、たとえば、壁などに設けられたコンセントソケット１２１が周辺にある場合は、当該コンセントソケット１２１に、給電用の電線１１４の一端に接続されたコンセントプラグを差し込む。
【００７２】
壁などに設けられたコンセントソケット１２１が周辺にない場合は、第２の支持部材１２４に設けられたコンセントソケット１２１に給電用の電線１１４の一端に接続されたコンセントプラグを差し込む。そして、第２の支持部材１２４に設けられたコンセントソケット１２１の端子に接続されている電線の他端を、任意の電源に接続する。これにより、電圧調整部１１０の入力端子１１１ａを電源に接続することができる。
【００７３】
つぎに、整定試験の対象とする電圧継電器を装着するソケット１２２における一対の第２の接続端子１２６に、第１の接続端子１１６を接続する。具体的には、第１の接続端子１１６における一対のピンチ部材を、付勢部材の付勢力に抗して連結位置を支点として相対的に揺動させ、一対のピンチ部材の長さ方向における一端側を離間させることによって、当該一端側どうしの間に隙間（開口）を形成する。
【００７４】
そして、開口の間に第２の接続端子１２６における把持部２２０の周壁を挟み込む。これにより、電圧調整部１１０と接続部１２０とを電気的に接続することができる。一対の第２の接続端子１２６は、把持部２２０を把持した状態における第１の接続端子１１６どうしが離間する間隔を空けて配置されているため、第１の接続端子１１６どうしが接触することによる短絡を確実に防止することができる。
【００７５】
また、第１の接続端子１１６は、円筒形状をなす把持部２２０に、一端側の先端を差し込むようにして把持部２２０を把持するため、第１の接続端子１１６の位置を一層安定化し、電圧継電器の整定試験の途中で第１の接続端子１１６の位置がずれることによる短絡などを確実に防止することができる。
【００７６】
さらに、第１の接続端子１１６における一対のピンチ部材は、開口の部分に凹凸を備えているため、第２の接続端子１２６を確実に把持して、整定試験の途中に電圧調整部１１０と接続部１２０との接続が外れることを防止できる。また、電圧継電器の整定試験の途中で第１の接続端子１１６の位置がずれることによる短絡などを確実に防止することができる。
【００７７】
つぎに、第１の接続端子１１６を接続したソケット１２２に、整定試験の対象とする電圧継電器を取り付ける。具体的には、整定試験の対象とする電圧継電器におけるセンターコラムの位置を、ソケット１２２におけるガイド穴１２２ｃの位置に合わせた状態で、センターコラムをガイド穴１２２ｃに嵌合させる。
【００７８】
整定試験の対象とする電圧継電器は、ソケット１２２の上方からソケット１２２に近づけ、複数のプラグピンを該当する複数のプラグ孔１２２ｂにそれぞれ押し込むようにして、ソケット１２２に取り付ける。これにより、整定試験の対象とする電圧継電器が備える複数のプラグピンが、該当するソケット１２２における複数のプラグ孔１２２ｂにそれぞれ挿入され、第１の接続端子１１６が接続された一対の第２の接続端子１２６を介して、整定試験の対象とする電圧継電器と可変変圧器１１１とが接続される。
【００７９】
その後、可変変圧器１１１の出力電圧値を調整し、試験対象とする電圧継電器が所望の電圧値において所望の動作をするか確認して、一連の処理を終了する。具体的には、たとえば、最小動作電流測定、時限特性試験、瞬時要素試験などをおこなうことによって、試験対象とする電圧継電器が所望の電圧値において所望の動作をするかを確認する。
【００８０】
上述した実施の形態においては、把持部２２０が互いに平行な方向に突出する第２の接続端子１２６を備えた第２の端子台１２３を備えた整定試験装置１００について説明したが、この発明にかかる整定試験装置１００における把持部２２０は、互いに平行な方向に突出する態様に限るものではない。
【００８１】
把持部２２０は、たとえば、先端ほど互いに離間する方向に突出するように設けられていてもよい。この場合、一対の第２の接続端子１２６は、一対の第２の接続端子１２６を、軸心方向に対して直交する方向から見た場合に、「ハ」ないし「八」の字形状をなす。
【００８２】
このように、把持部２２０を先端ほど互いに離間する方向に突出するように設ける場合、第１の接続端子１１６どうしの接触を確実に防止することができる。これにより、整定試験の途中で短絡が生じることを確実に防止することができる。
【００８３】
また、上述した実施の形態においては、第２の接続端子１２６が、中空の円筒形状（管形状）をなす把持部２２０を備えた構成について説明したが、第２の接続端子１２６の構成および形状は、これに限るものではない。図５〜図７は、第２の接続端子１２６の別の構成を示す説明図である。
【００８４】
第２の接続端子１２６は、たとえば、図５に示すように、平板形状をなす把持部２２０を備えていてもよい。このような構成の第２の接続端子１２６によれば、簡易な構成によって第２の接続端子１２６を実現することができる。これにより、第２の接続端子１２６にかかる製造や管理の容易化を図ることができる。
【００８５】
また、第２の接続端子１２６は、たとえば、図６や図７に示すように、把持部２２０の表面に凹凸を備えて構成されるものであってもよい。把持部２２０に設ける凹凸は、図６に示すように把持部２２０における一面であってもよく、両面に設けてもよい。円筒形状をなす把持部２２０においては、把持部２２０における内周面あるいは外周面のみに凹凸を設けてもよく、内周面および外周面の両方に凹凸を設けるようにしてもよい。
【００８６】
このような構成の第２の接続端子１２６によれば、第１の接続端子１１６により第２の接続端子１２６を確実に把持して、整定試験の途中に電圧調整部１１０と接続部１２０との接続が外れることを確実に防止できる。また、電圧継電器の整定試験の途中で第１の接続端子１１６の位置がずれることによる短絡などを確実に防止することができる。
【００８７】
また、上述した実施の形態においては、一対のピンチ部材の一端側の周縁部にのみ凹凸を設けた第１の接続端子１１６について説明したが、凹凸を設ける位置は一端側における周縁に限定されるものではない。第１の接続端子１１６においては、たとえば、把持部２２０の外周面全体にわたって凹凸を設けてもよい。この場合、第１の接続端子１１６の凹凸は、具体的には、たとえば、一対のピンチ部材の連結位置から長さ方向における一端側に至る全体にわたって設けることができる。
【００８８】
このように、凹凸を設ける面積を広く確保することにより、クリップ形状をなす第１の接続端子１１６によって把持部２２０を安定して把持することができる。これにより、第１の接続端子１１６が第２の接続端子１２６に対して滑るなどして、可変変圧器１１１と第２の接続端子１２６との接続が意図せずに外れてしまうことを防止できる。
【００８９】
以上説明したように、この発明にかかる実施の形態の整定試験装置１００は、供給された電力の電圧値を所定の電圧値に変圧した電力を出力端子１１１ｂから出力する可変変圧器１１１と、可変変圧器１１１の出力端子１１１ｂに一端が接続され、開閉自在な開口を形成する一対のピンチ部材を備えクリップ形状をなす第１の接続端子１１６が他端に設けられた接続切替電線１１５と、試験対象とする電圧継電器が備えるプラグピンの配置形状に応じた形状に配置された所定数のプラグ孔１２２ｂを備えたソケット１２２と、ソケット１２２が備えるプラグ孔１２２ｂのうち電圧継電器の整定試験電圧の入力を受け付ける一対のプラグ孔１２２ｂに接続され、それぞれが第１の接続端子１１６の開口幅よりも外径寸法が小さい把持部２２０を有する一対の第２の接続端子１２６を備えた端子台と、を備え、一対の第２の接続端子１２６は、第１の接続端子１１６によって把持部２２０が把持されることにより接続切替電線１１５を介して可変変圧器１１１と分離可能に接続され、把持部２２０を把持した状態における第１の接続端子１１６どうしが離間する間隔を空けて配置されていることを特徴としている。
【００９０】
この発明にかかる実施の形態の整定試験装置１００によれば、把持部２２０を把持した状態における第１の接続端子１１６どうしが離間する間隔を空けて一対の第２の接続端子１２６が配置されているため、回路の短絡や地絡を生じさせることなく、一対の第２の接続端子１２６のそれぞれに第１の接続端子１１６を確実に接続することができる。これにより、整定試験に際しての安全性を確保することができる。
【００９１】
また、この発明にかかる実施の形態の整定試験装置１００によれば、クリップ形状をなす第１の接続端子１１６によって把持部２２０を把持することによって、ソケット１２２や端子台と別体で設けられている可変変圧器１１１と第２の接続端子１２６とを容易に接続することができるので、可変変圧器１１１と第２の接続端子１２６との接続や接続の解除を迅速かつ容易におこなうことができるとともに、コアや巻線から構成され比較的重量の大きい可変変圧器１１１をソケット１２２や端子台と容易に分離して容易に運搬することができる。これにより、整定試験にかかる作業者の負担軽減および作業効率の向上を図ることができる。
【００９２】
また、この発明にかかる実施の形態の整定試験装置１００によれば、第２の接続端子１２６が、クリップ形状の第１の接続端子１１６の開口幅よりも外径寸法が小さい把持部２２０を備えているため、第１の接続端子１１６によって確実に把持部２２０を把持することができる。これにより、第１の接続端子１１６と第２の接続端子１２６との安定した接続を確保することができるので、作業者は整定試験に集中することができ、これにより作業効率の向上を図ることができる。
【００９３】
このように、この発明にかかる実施の形態の整定試験装置１００によれば、整定試験に際しての安全性を確保するとともに、整定試験にかかる作業者の負担軽減および作業効率の向上を図ることができる。
【００９４】
また、この発明にかかる実施の形態の整定試験装置１００は、一対の第２の接続端子１２６が、それぞれ、把持部２２０を一体に備え、定位置に固定されていることを特徴としている。
【００９５】
この発明にかかる実施の形態の整定試験装置１００によれば、把持部２２０を一体に備えた第２の接続端子１２６の位置が定位置に固定されているため、たとえば、整定試験装置１００に対する電圧継電器の着脱作業に際して整定試験装置１００が振動した場合にも、第２の接続端子１２６どうしが接触することによる回路の短絡や地絡を確実に防止することができる。これにより、整定試験に際しての安全性を確保することができる。
【００９６】
また、この発明にかかる実施の形態の整定試験装置１００は、一対の第２の接続端子１２６が、それぞれ、長さ方向における一端がプラグ孔１２２ｂに接続され他端に把持部２２０が設けられたロッド形状をなすことを特徴としている。
【００９７】
この発明にかかる実施の形態の整定試験装置１００によれば、把持部２２０を一体に備えた第２の接続端子１２６を簡易な構成によって実現することができる。これにより、第２の接続端子１２６に対する第１の接続端子１１６の接続作業を容易かつ確実におこなうことができ、整定試験にかかる作業者の負担軽減および作業効率の向上を図るとともに、整定試験に際しての安全性を確保することができる。
【００９８】
また、この発明にかかる実施の形態の整定試験装置１００は、一対の第２の接続端子１２６が、長さ方向が、互いに平行な方向に沿って配置されていることを特徴としている。
【００９９】
この発明にかかる実施の形態の整定試験装置１００によれば、ロッド形状をなす第２の接続端子１２６を互いに平行に揃えて配置することにより、把持部２２０を一望に収めることができる。これにより、整定試験に際して、一対の第２の接続端子１２６に対する第１の接続端子１１６の接続状態を容易かつ迅速に確認することができ、整定試験にかかる作業効率の向上を図ることができる。
【０１００】
また、この発明にかかる実施の形態の整定試験装置１００は、一対の第２の接続端子１２６が、長さ方向が、プラグ孔１２２ｂとの接続位置よりも離間するほど把持部２２０どうしが離間する方向に沿って配置されていることを特徴としている。
【０１０１】
この発明にかかる実施の形態の整定試験装置１００によれば、ロッド形状をなす第２の接続端子１２６を、把持部２２０どうしが離間するように配置することにより、簡易な構成によって、第２の接続端子１２６どうしが接触することによる回路の短絡や地絡を確実に防止することができる。これにより、簡易な構成によって、整定試験に際しての安全性を確保することができる。
【０１０２】
また、この発明にかかる実施の形態の整定試験装置１００は、プラグ孔１２２ｂの配置形状が異なる複数のソケット１２２を備えたことを特徴としている。
【０１０３】
この発明にかかる実施の形態の整定試験装置１００によれば、整定試験をおこなう現場において、複数種類のソケット１２２の中から、試験対象とする電圧継電器が備えるプラグピンの配置形状に応じたソケット１２２に対応する一対の第２の接続端子１２６のそれぞれに、第１の接続端子１１６を接続することができる。
【０１０４】
これにより、まずは整定試験装置１００を現場に持って行き、現場において試験対象とする電圧継電器が備えるプラグピンの配置形状を確認し、整定試験の対象とする電圧継電器の種類に応じたソケット１２２に接続された第２の接続端子１２６の把持部２２０を第１の接続端子１１６で挟むだけで、整定試験をおこなうことができる。これによって、整定試験を円滑に開始することができ、整定試験にかかる作業者の負担軽減および作業効率の向上を図ることができる。
【０１０５】
また、この発明にかかる実施の形態の整定試験装置１００によれば、可変変圧器１１１と分離して運搬することができるため、複数のソケット１２２を備えることにより複数種類の電圧継電器の整定試験に対応できる汎用性を確保しつつ、整定試験装置１００の運搬にかかる作業者の負担を抑えることができる。これにより、整定試験にかかる作業者の負担軽減および作業効率の向上を図ることができる。
【０１０６】
また、この発明にかかる実施の形態の整定試験装置１００は、プラグ孔１２２ｂの数が異なる複数のソケット１２２を備えたことを特徴としている。
【０１０７】
この発明にかかる実施の形態の整定試験装置１００によれば、整定試験をおこなう現場において、複数種類のソケット１２２の中から、試験対象とする電圧継電器が備えるプラグピンの配置形状に応じたソケット１２２に対応する一対の第２の接続端子１２６のそれぞれに、第１の接続端子１１６を接続することができる。
【０１０８】
これにより、まずは整定試験装置１００を現場に持って行き、現場において試験対象とする電圧継電器が備えるプラグピンの配置形状を確認し、整定試験の対象とする電圧継電器の種類に応じたソケット１２２に接続された第２の接続端子１２６の把持部２２０を第１の接続端子１１６で挟むだけで、整定試験をおこなうことができる。これによって、整定試験を円滑に開始することができ、整定試験にかかる作業者の負担軽減および作業効率の向上を図ることができる。
【０１０９】
また、この発明にかかる実施の形態の整定試験装置１００によれば、可変変圧器１１１と分離して運搬することができるため、複数のソケット１２２を備えることにより複数種類の電圧継電器の整定試験に対応できる汎用性を確保しつつ、整定試験装置１００の運搬にかかる作業者の負担を抑えることができる。これにより、整定試験にかかる作業者の負担軽減および作業効率の向上を図ることができる。
【０１１０】
また、この発明にかかる実施の形態の整定試験装置１００は、把持部２２０が、外表面に凹凸を備えたことを特徴としている。
【０１１１】
この発明にかかる実施の形態の整定試験装置１００によれば、把持部２２０を把持する第１の接続端子１１６の滑りを防止して、第１の接続端子１１６によって確実に把持部２２０を把持することができる。これにより、第１の接続端子１１６と第２の接続端子１２６との安定した接続を確保することができるので、作業者は整定試験に集中することができ、これにより作業効率の向上を図ることができる。
【０１１２】
また、この発明にかかる実施の形態の整定試験装置１００は、第１の接続端子１１６が、一対のピンチ部材における開口または当該開口の周縁に凹凸を備えたことを特徴としている。
【０１１３】
この発明にかかる実施の形態の整定試験装置１００によれば、把持部２２０を把持する第１の接続端子１１６の滑りを防止して、第１の接続端子１１６によって確実に把持部２２０を把持することができる。これにより、第１の接続端子１１６と第２の接続端子１２６との安定した接続を確保することができるので、作業者は整定試験に集中することができ、これにより作業効率の向上を図ることができる。
【０１１４】
また、この発明にかかる実施の形態の整定試験装置１００は、第２の端子台１２３が、少なくとも隣り合う第２の接続端子１２６どうしの間に設けられた隔離壁を備えたことを特徴とする請求項１〜９のいずれか一つに記載の整定試験装置。
【産業上の利用可能性】
【０１１５】
以上のように、この発明にかかる整定試験装置は、電圧継電器の整定試験に用いる整定試験装置に有用であり、特に、汎用性向上のため任意の整定値に調整可能な電圧継電器の整定試験に用いる整定試験装置に適している。
【符号の説明】
【０１１６】
１００  整定試験装置
１１０  電圧調整部
１２０  接続部
１１１  可変変圧器
１１１ａ  入力端子
１１１ｂ  出力端子
１１２  第１の端子台
１１２ａ  端子
１１３  第１の支持部材
１１５  接続切替電線
１１６  第１の接続端子
１２１  コンセントソケット
１２２  ソケット
１２２ｂ  プラグ孔
１２３  第２の端子台
１２３ａ  端子
１２３ｂ  隔離壁
１２４  第２の支持部材
１２６  第２の接続端子
２１０  連結部
２２０  把持部
【図１】
2020143971.tif 000003
【図２】
2020143971.tif 000004
【図３】
2020143971.tif 000005
【図４】
2020143971.tif 000006
【図５】
2020143971.tif 000007
【図６】
2020143971.tif 000008
【図７】
2020143971.tif 000009